【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
患者の耳の検査を可能にするオトスコープにおいて、
前記オトスコープは、
i）近位端と、遠位挿入部とを有する器具ヘッドと、
ii）前記器具ヘッドの前記近位端に近接している観察手段と、
iii）前記器具ヘッドの前記遠位挿入部に重さなるようにして着脱可能に装着されたチップ要素であって、該チップ要素は、実質的に円錐形の本体と、前記遠位挿入部及び装着されたチップ要素がそれぞれ患者の耳に挿入可能なように構成される遠位チップ開口とを有するものであり、
iv）前記器具ヘッド内に配置された撮像レンズ列とを備え、
前記撮像レンズ列、前記観察手段、前記挿入部の遠位開口、及び装着されたチップ要素のチップ開口の各々は、光軸に沿って並んで配列され、前記撮像レンズ列と、前記観察手段は、遠位入射瞳孔とリレーレンズ系とを含む光学系を定義し、該入射瞳孔は、前記器具ヘッドの遠位挿入部の遠位開口から遠位に位置するが、鼓膜全体を前記観察手段で一度に観察できるように前記装着されたチップ要素の遠位開口に近接している、
ことを特徴とするオトスコープ。
【請求項２】
請求項１に記載のオトスコープにおいて、
前記撮像レンズ列と前記観察手段のうちの少なくとも１つを、光軸に沿って相互に選択的に調節を可能にする前記フォーカス機構を備え、該フォーカス機構は、ユーザーによる前記撮像レンズ列に対する、光軸に沿った前記観察手段の調節を選択的に可能にするユーザーが利用可能な特徴部を少なくとも１つ有する、
ことを特徴とするオトスコープ。
【請求項３】
請求項２に記載のオトスコープにおいて、
前記撮像レンズ列は、チューブ部材内に配置され、前記フォーカス機構の前記少なくとも１つのユーザーが利用可能な特徴部は、回転部材からなり、前記回転部材の回転によって、ユーザー起動の前記観察手段の並進運動を引き起こす、
ことを特徴とするオトスコープ。
【請求項４】
請求項２に記載のオトスコープにおいて、
前記観察手段の相対的な位置を表示する表示手段を有する、
ことを特徴とするオトスコープ。
【請求項５】
請求項４に記載のオトスコープにおいて、
前記表示手段は、フォーカス機構が好ましい公称フォーカス位置に設定されたことを示すプリセットフォーカス位置マーカーを有する、
ことを特徴とするオトスコープ。
【請求項６】
請求項２に記載のオトスコープにおいて、
前記フォーカス機構は、前記観察手段を少なくとも１つの所定の軸位置に戻り止めするディテントを含む、
ことを特徴とするオトスコープ。
【請求項７】
請求項１に記載のオトスコープにおいて、
前記観察手段は、少なくとも１つの光学素子を有する接眼レンズであり、該接眼レンズは、前記器具ヘッドの近位端に装着されている、
ことを特徴とするオトスコープ。
【請求項８】
請求項１に記載のオトスコープにおいて、
前記観察手段は、電子撮像装置を有する、
ことを特徴とするオトスコープ。
【請求項９】
請求項５に記載のオトスコープにおいて、
前記フォーカス機構は、前記観察手段を少なくとも１つの所定の軸位置に戻り止めするディテント手段を含み、前記少なくとも１つの所定の軸位置は、前記好ましい公称フォーカス位置である、
ことを特徴とするオトスコープ。
【請求項１０】
請求項１に記載のオトスコープにおいて、
前記観察手段の近傍に装着可能な、少なくとも１つの光学アダプターを有する、
ことを特徴とするオトスコープ。
【請求項１１】
請求項２に記載のオトスコープにおいて、
前記撮像レンズ列は、前記チューブ部材内に配置され、
前記フォーカス機構は、回転部材を有し、
該回転部材の回転は、前記接眼レンズに含まれる少なくとも１つの前記光学素子の並進運動を引き起こす、
ことを特徴とするオトスコープ。
【請求項１２】
請求項１に記載のオトスコープにおいて、
前記光学システムは、約３３ｍｍの作動距離に対して約９ｍｍより大きい視野をつくり、前記オトスコープが耳の検査に使用されるとき、鼓膜全体が前記観察手段によって視覚化されることを可能にする、
ことを特徴とするオトスコープ。
【請求項１３】
請求項１に記載のオトスコープにおいて、
前記撮像レンズ列、および前記観察手段とは、正像を生成する、
ことを特徴とするオトスコープ。
【請求項１４】
請求項７に記載のオトスコープにおいて、
前記接眼レンズは、少なくとも１つの拡大目を有する、
ことを特徴とするオトスコープ。
【請求項１５】
請求項１１に記載のオトスコープにおいて、
前記器具ヘッドは、前記接眼レンズと前記遠位挿入部との中間に配置される少なくとも１つの窓を有し、
前記窓は、前記回転部材を回転させる手段がフォーカス機構を調整することを可能にする、
ことを特徴とするオトスコープ。
【請求項１６】
請求項１５に記載のオトスコープにおいて、
前記接眼レンズ内の少なくとも１つの前記光学素子の相対的な運動を表示する表示手段を有し、
前記表示手段は、プリセット位置表示計の目盛りを有する、
ことを特徴とするオトスコープ。
【請求項１７】
請求項１６に記載のオトスコープにおいて、
前記プレセット位置表示計の目盛りは、少なくとも１つの前記窓に近接して配置されている、
ことを特徴とするオトスコープ。
【請求項１８】
患者の耳の検査を可能にするオトスコープにおいて、
前記オトスコープは、
i）近位端と、遠位挿入部とを有する器具ヘッドと、
ii）前記遠位挿入部に対し重なるようにして着脱可能に装着された軸対称のチップ要素であって、該軸対象のチップ要素は先端開口を有し、前記遠位挿入部及び装着されたチップ要素は患者の耳に挿入可能な大きさであり、
iii）光学系とを備え、該光学系は、
ａ）前記器具ヘッドの前記近位端に取り付けられた観察手段と、
ｂ）前記器具ヘッド内で前記観察手段に対して遠位に配置された撮像レンズ列とを含み、
前記観察手段と、前記光学系の前記撮像レンズ列のそれぞれは光学素子を有し、前記光学系は、前記光学要素がおおよそ配置される開口絞りをさらに有し、
前記撮像レンズ列は、前記撮像レンズ列の最も遠位の光学素子に対して遠位に配置されているが、装着されたチップ要素の遠位開口に近接している入射瞳孔をさらに形成し、前記光学系は、鼓膜全体を一度に捕らえることができ、かつ該鼓膜の画像を前記観察手段を介して中継することができる、
ことを特徴とするオトスコープ。
【請求項１９】
請求項１８に記載のオトスコープにおいて、
前記観察手段は、接眼レンズを含み、該接眼レンズは、少なくとも１つの拡大目を含む、
ことを特徴とするオトスコープ。
【請求項２０】
請求項１８に記載のオトスコープにおいて、
前記撮像レンズ列は、チューブ部材内に配置される、
ことを特徴とするオトスコープ。
【請求項２１】
請求項１８に記載のオトスコープにおいて、
前記オトスコープは、前記遠位挿入部と目標物との間の約３３ｍｍの作動距離に対して、約９ｍｍ以上の視野を生成する、
ことを特徴とするオトスコープ。
【請求項２２】
請求項１９に記載のオトスコープにおいて、
前記撮像レンズ列と前記観察手段は、正像を生成する、
ことを特徴とするオトスコープ。
【請求項２３】
請求項１８に記載のオトスコープにおいて、
前記観察手段は、少なくとも１つの電子撮像装置を有する、
ことを特徴とするオトスコープ。
【請求項２４】
遠位開口を有し、かつ、耳に挿入される遠位挿入部を有する器具ヘッドと、
遠位開口を有し、かつ、前記遠位挿入部に着脱可能に装着された軸対象のチップ要素と、
前記器具ヘッド内に収容され、複数の光学素子と、該光学素子がおおよそ配置される開口絞りとを有する光学系とを備え、該光学系は、前記遠位挿入部の遠位開口に遠位であるが、前記装着されたチップ要素の遠位開口に近接している入射瞳孔を形成し、該光学系は光軸に沿って前記遠位開口と並んで配列される対象の目標物の像を観察するための観察手段をさらに有し、該光学系は、前記観察手段で患者の鼓膜全体を一度に捕らえることができる、
ことを特徴とするオトスコープ。
【請求項２５】
請求項２４に記載のオトスコープにおいて、
前記観察手段は、前記器具ヘッドの近位端に配置される接眼レンズ機構を備える、
ことを特徴とするオトスコープ。
【請求項２６】
請求項２５に記載のオトスコープにおいて、
前記接眼レンズ機構は、少なくとも１つの拡大目を有する、
ことを特徴とするオトスコープ。
【請求項２７】
請求項２４に記載のオトスコープにおいて、
前記観察手段は、電子撮像装置である、
ことを特徴とするオトスコープ。
【請求項２８】
請求項２４に記載のオトスコープにおいて、
前記観察手段は、少なくとも１つの光学素子を有し、
前記オトスコープは、前記光学システムのフォーカスを変更するために、前記観察手段の前記少なくとも１つの光学素子の位置をユーザーが選択的に変更するのを可能にする機構を有する、
ことを特徴とするオトスコープ。
【請求項２９】
請求項１に記載のオトスコープにおいて、前記オトスコープはビジュアル・オトスコープである、
ことを特徴とするオトスコープ。
【請求項３０】
請求項１８に記載のオトスコープにおいて、前記光学系の要素を選択的に調節するフォーカス機構を有する、
ことを特徴とするオトスコープ。
【請求項３１】
請求項３０に記載のオトスコープにおいて、前記フォーカス機構は、ユーザーによる撮像レンズ列に対する前記観察手段の選択的な調節を可能にする、
ことを特徴とするオトスコープ。
【請求項３２】
請求項２４に記載のオトスコープにおいて、前記光学系の要素を選択的に調節するフォーカス機構を有する、
ことを特徴とするオトスコープ。
【請求項３３】
請求項３２に記載のオトスコープにおいて、前記フォーカス機構は、ユーザーによる撮像レンズ列に対する前記観察手段の選択的な調節を可能にする、
ことを特徴とするオトスコープ。